(57)【要約】      （修正有）  広告又はプロモーションのための方法であって、１つ又は複数の照明エリアを有する光パターンを可視表面又はスクリーン（３）に投影するステップと、前記光パターンはメッセージ又はアナウンスエリア（３）を規定するものであるステップを有する方法。又、動画（５）が前記照明エリアに投影される。更に、広告又はプロモーション装置が開示されており、同装置はメッセージとアナウンスメントエリアを規定する、１つ又は複数の照明エリアを有する光パターンを投影するための手段を有している。同装置は前記光パターンが投影される可視表面又はスクリーン、及び、前記照明エリアに静止画又は動画を投影する手段を有している。【選択図】図２
2009518658.tif 000002
【特許請求の範囲】
【請求項１】
広告又はプロモーションのための方法であって、
１つ又は複数の照明されるエリアを有する光パターンを可視表面又はスクリーンに投影するステップで、前記光パターンはメッセージ又はアナウンスメントエリアを規定するものであるステップと、
前記照明されるエリアに静止画又は動画を投影するステップとを、
有する広告又はプロモーションのための方法。
【請求項２】
可視表面又はスクリーンが１つ又は複数のプレートにおける及び/又は１つ又は複数のプレートによる開口により規定される請求項１記載の方法。
【請求項３】
前記プレートはプラスチック、木材、アルミニウム、スチール又はアクリル材料である請求項１又は２記載の方法。
【請求項４】
透光材料のような、材料を形成する画像のレイヤがプロジェクタの前部に設けられ、その上に光パターン及び画像が投影されることを特徴とする請求項１ないし３のいずれか１項記載の方法。
【請求項５】
照明エリアの輪郭が可視表面又はスクリーンを規定する開口又はプレートの輪郭に対応する請求項１ないし４のいずれか１項記載の方法。
【請求項６】
前記プレートが光パターン及び/又は動画を投影するプロジェクタの前部に設けられることを特徴とする請求項２ないし５のいずれか１項記載の方法。
【請求項７】
照明エリア及び/又はスクリーンがロゴを規定することを特徴とする請求項１ないし６のいずれか１項記載の方法。
【請求項８】
前記光パターンが、マスクを提供するために照明され前記エリアを規定するデジタル画像を編集することにより提供されることを特徴とする方法であって、
前記エリアを取り囲む画像部分を暗くするステップ、
前記エリアからカラーをクリーニングするステップ、
画像の前記エリアの輪郭をカラー化された非黒ラインで描くステップ、
の画像プロセッシングステップを含む請求項１ないし７のいずれか１項記載の方法。
【請求項９】
更に、前記非黒ラインで規定される前記エリア内部に前記画像を投影するために、前記マスクの使用によりキャプチャーされた静止画又は動画を編集するステップを含む請求項１０記載の方法。
【請求項１０】
異なる静止画又は動画が、異なる照明エリアに映写されることを特徴とする請求項１ないし９のいずれか１項記載の方法。
【請求項１１】
画像編集ステップがアルファキーを使用することを含むことを特徴とする請求項８ないし１０のいずれか１項記載の方法。
【請求項１２】
前記暗くするステップが前記エリアを取り囲む部分の上にカラータイプ「黒レベル０」を与えるステップを含む請求項８ないし１１のいずれか１項記載の方法。
【請求項１３】
１つ又は複数のビデオプロジェクタまたはコンピュータ制御のプロジェクタが前記光パターン及び画像を投影することを特徴とする請求１ないし１２のいずれか１項記載の方法。
【請求項１４】
ビデオプロジェクタが前記光パターン及び画像を４：３フォーマット又は１６：９フォーマットで投影することを特徴とする請求項１３記載の方法。
【請求項１５】
動画がオブジェクト及び/又は生物を表すことを特徴とする請求項１ないし１４のいずれか１項記載の方法。
【請求項１６】
可視表面又はスクリーンの可視サイドがプロジェクタと反対であることを特徴する請求項１ないし１５のいずれか１項記載の方法。
【請求項１７】
画像処理がコンピュータ上の画像編集プログラムにより行われることを特徴とする請求項７ないし１６のいずれか１項記載の方法。
【請求項１８】
キャプチャされた静止画又は動画の編集がビデオ編集プログラムにより行われることを特徴とする請求項７ないし１７のいずれか１項記載の方法。
【請求項１９】
メッセージとアナウンスメントエリアを規定する、１つ又は複数の照明エリアを有する光パターンを投影するための手段と、
前記光パターンが投影される可視表面又はスクリーンと、
前記照明エリアに静止画又は動画を投影する手段と
を有する広告、プロモーション装置。
【請求項２０】
前記投影する手段が１つ又は複数のプロジェクタ及び/又はビデオプロジェクタを有することを特徴とする請求項１９記載の装置。
【請求項２１】
可視表面又はスクリーンが光パターン及び/又は動画を投影するプロジェクタの前部に設けられた、１つ又は複数のプレートにおける開口、及び/又は、１つ又は複数のプレートにより規定されることを特徴とする請求項１９または２０記載の装置。
【請求項２２】
前記プレートはプラスチック、木材、アルミニウム、スチール又はアクリル材料から構成される請求項２１記載の装置。
【請求項２３】
前記プラスチックが半透明である請求項２１又は２２記載の装置。
【請求項２４】
透光材料のような、材料を形成する画像のレイヤがプロジェクタの前部に設けられ、その上に光パターン及び画像が投影されることを特徴とする請求項１９ないし２３のいずれか１項記載の装置。
【請求項２５】
画像を形成する材料の前記レイヤが投影された光パターン又は画像を偏向したり伝送したりするために、前記プレートの１つの側に設けられることを特徴とする請求項２４記載の方法。
【請求項２６】
前記アクリル部材が光パターン及び動画が投影されるフロストサイドを有することを特徴とする請求項２２ないし２５のいずれか１項記載の装置。
【請求項２７】
照明エリア及び/又はスクリーンがロゴを規定することを特徴とする請求項１９ないし２６のいずれか１項記載の装置。
【請求項２８】
マスクを提供するために照明される前記エリアを規定するデジタル画像を編集するための手段を更に有する装置であって、前記手段は
前記エリアを取り囲む画像部分を暗くし、
前記エリアからカラーをクリーニングし、
画像の前記エリアの輪郭をカラー化された非黒ラインで描く
ように構成されていることを特徴とする請求項１９ないし２７のいずれか１項記載の装置。
【請求項２９】
更に、前記非黒ラインで規定される前記エリア内部に前記画像を投影するために、前記マスクを使って、キャプチャされた静止画又は動画を編集するための手段を有する請求項２８記載の装置。
【請求項３０】
異なる静止画又は動画が、異なる照明エリアに投影されることを特徴とする請求項１９ないし２９のいずれか１項記載の装置。
【請求項３１】
デジタル画像がアルファキーの使用により編集されることを特徴とする請求項２８ないし３０のいずれか１項記載の装置。
【請求項３２】
前記エリアを取り囲む部分上のカラータイプが暗くした後「黒レベル０」であることを特徴とする請求項２８ないし３１のいずれか１項記載の方法。
【請求項３３】
１つ又は複数のビデオプロジェクタまたはコンピュータ制御のプロジェクタが前記光パターン及び画像を投影することを特徴とする請求１９ないし３２のいずれか１項記載の装置。
【請求項３４】
ビデオプロジェクタが前記光パターン及び画像を４：３フォーマット又は１６：９フォーマットで投影することを特徴とする請求項３３記載の装置。
【請求項３５】
動画がオブジェクト及び/又は生物を表すことを特徴とする請求項１９ないし３４のいずれか１項記載の装置。
【請求項３６】
照明エリアの輪郭が可視表面又はスクリーンを規定する開口又はプレートの輪郭に対応する請求項１９ないし３５のいずれか１項記載の装置。
【請求項３７】
可視表面又はスクリーンの可視側が光パターン及び静止画又は動画が投影される側と反対であることを特徴する請求項１９ないし３６のいずれか１項記載の装置。
【請求項３８】
可視表面又はスクリーンが１つ又は複数の隣接したプレートであることを特徴とする請求項１９ないし３７のいずれか１項記載の装置。
【請求項３９】
編集のための手段がコンピュータ上の画像編集プログラムを有することを特徴とする請求項２７ないし３８のいずれか１項記載の方法。
【請求項４０】
前記キャプチャされた静止画又は動画を編集する手段がビデオ編集プログラムを有することを特徴とする請求項２９ないし３９のいずれか１項記載の方法。
【請求項４１】
請求項１ないし１８のいずれか１項記載の方法を実行するために使用される請求項１９ないし４０のいずれか１項記載の装置。
【請求項４２】
前記アクリル部材が光パターン及び動画が投影されるフロストサイドを有することを特徴とする請求項３ないし１８のいずれか１項記載の装置。
【請求項４３】
画像形成材料のレイヤがスクリーン側のフロスティング(frosting)により提供されることを特徴とする請求項４ないし１８のいずれか１項記載の方法。
【請求項４４】
フロストフィルタフィルムが可視表面又はスクリーンと投影された光パターンと画像を偏向し及び/又は伝送するためのプロジェクタとの間に設けられることを特徴とする請求項４ないし１８のいずれか１項記載の方法。
【請求項４５】
前記フィルムは可視表面又はスクリーン上に設けられることを特徴とする請求項４３記載の方法。
【請求項４６】
前記プレートが半透明であることを特徴とする請求項１ないし１８のいずれか１項記載の方法。
【発明の詳細な説明】
【技術分野】
【０００１】
本発明は、広告又はプロモーションのための方法と装置に関する。更に具体的にいえば、本発明は画像を照明エリアへの投影に関し、例えば、ロゴ又はプロモーション画像を規定する（define）ものである。これにより、見物人(viewer)は照明されたロゴ及び投影された画像、好ましくはロゴの内部の動画（ビデオロゴ:video logo）を見ることができる。
【発明の開示】
【課題を解決するための手段】
【０００２】
これは、本発明による広告又はプロモーションのための方法により実現できるものである。同方法は以下のステップを有している。
―１つ又は複数の照明されるエリアを有する光パターンを可視表面(visible surface)又はスクリーンに投影するステップで、前記光パターンはメッセージ又はアナウンスエリアを規定するものであるステップ、
―前記照明されるエリアに静止画又は動画を投影するステップ。
【０００３】
前記可視表面又はスクリーンは、例えば、１つ又は複数のプレートにおいて開口（opening）で規定してもよく、及び/又は、プロジェクターの前面に設けられた１つ又は複数のプレートであってもよい。従って、スクリーンは例えばプラスチック、木材、アルミニウム又はスチールからできたプレートにおいてカットされた開口で規定してもよい。別の、現在好まれているものとして、前記表面又はスクリーンはガラス又はプラスチック材料、特にアクリル材料で構成してもよい。前記材料は透明又は少なくとも光を通すものである。
【０００４】
光を偏向したり伝送したりするために、画像を形成する材料のレイヤ、例えば透光性材料は、プロジェクタの前、可視表面又はスクリーンの前に設け、これが光を「捉える」（catch）ので、見物人は投影された光と画像（picture）をみることができる。従って、透光性材料、例えばフロスト・フィルタ・フィルム（frost filter film）はプロジェクタとスクリーンとの間に設けられる。そのスクリーンの上に光パターンと画像が投影されるのである。投影された光と画像は前記フィルムによって偏向され及び/又は伝送され(transmitted)、スクリーンの脇で離れたところから見る見物人に可視光と画像を提供する。なお、このスクリーンはプロジェクタ（「バックグラウンドプロジェクション」と呼ばれる）と対向して配置される。前記フロスト材料（frost material）はプロジェクタとスクリーンとの間に配置される材料の分離された１つの又は複数のプレートを含む。又は、フロスト材料はプレートの1つの側に設けてもよいし、又はプレートの材料はそれ自身半透明（translucent）であってもよい。スクリーンがプレートに開口を持つ場合、上記のように、半透明材料は少なくとも前記開口の裏側に配置する。又は、スクリーンが１つ又は複数のプレート（例えば、ロゴを規定する）を有する場合、少なくとも前記プレートの裏側は半透明である。一般に、光を「捉え」ることは、不透明であるが半透明である材料のレイヤを設ける問題である。これは又、「拡散スクリーン（diffusion screen）」と呼ばれる問題である。
【０００５】
投影した光パターンに静止画又は動画を提供するというアイデアは、販売用公告、販売促進ツールとして有用である。これは「ディスプレイ・システム」というカテゴリに属する。このアイデアは例えば会社とその製品販売品とを間の結びつきを形成する。このように、照明されたエリアは会社その他のロゴを規定し、ロゴの中の動画を使って、ロゴを見る見物人にストーリを提供する。例えばコカコーラ（登録商標）のロゴを例に挙げると、コカコーラ（登録商標）を飲む人がロゴを形成する照明されたエリアに映し出される。
【０００６】
好ましくは、照明されたエリアの輪郭(outline)は実質的にスクリーンを規定する開口及び/又はプレートの輪郭と同一である。従って、プロジェクタから投影された光はプレート又はプロジェクタの正面に位置する開口の形状に正確に一致する。プロジェクタとスクリーン又はプレートとの間の距離は調整され、照明されるエリアのエッジが全体的にスクリーンを規定する開口又はプレートのエッジと一致する。
【０００７】
上記光パターンが照明エリア又は可視表面の形状に一致するように、投影光のパターンはデジタル画像（ロゴのようなデジタル画像）を編集することにより提供される。本方法は、次のような画像処理ステップを含んで構成される。
【０００８】
―前記エリアの外側の画像部分を暗くするステップと、
―前記エリアからのカラーをクリーニングするステップと、
―非黒の色つきの線で画像の前記エリアの輪郭を描くステップ。
【０００９】
前記編集の結果、画像が暗い背景上にシャープにエッジされ(edged)、好ましくは白色の形状で照明されたエリアを表示する。プロジェクタは前記編集された画像と同一の光を投影する。スクリーンへの距離を調整して、光パターンの投影した輪郭（又はシャープなエッジ）は可視の表面又はスクリーンの輪郭と一致するようにする。
【００１０】
編集するとき、「アルファーキー」を使って前記光パターンを提供することは有利である。
【００１１】
照明エリアにおける編集された画像をベースにして、前記照明された各エリアに静止画、動画を入れることができる。従って、例えば各文字又はロゴの個々の部分でムービーをプレイできる。これら映像を提供するために、本方法は更に静止画又は動画を編集するステップを有し、前記非黒の線が規定する前記エリア内において前記映像を投影することができる。異なる静止画又は動画を異なる照明エリアに映写することができる。
【００１２】
好ましくは、暗くするステップは背景にカラータイプ；「黒レベル０」を提供するステップを含む。このようにして、光は可視表面即ちスクリーン上に（可視表面即ちスクリーンのエッジ外側ではなく）光を送る。プロジェクタがスクリーンの外側で光を消費しない、これは重要なことである。
【００１３】
前記光パターンと映像を投影するためにビデオプロジェクタ又はコンピュータ制御のビデオプロジェクタが１つ又は複数あってもよい。ビデオプロジェクタは前記光パターン又は映像を４：３フォーマット又は１６：９フォーマットで投影する。
【００１４】
動画はオブジェクト及び/又は生物（living beings）を映写する。
【００１５】
プロジェクタとスクリーンをビルの屋根の上又は部屋の天井又は床に配置してもよい。その場合、プロジェクタを隠して配置し、見物人に見えないようにしてもよい。
【００１６】
照明エリアにより形成されるロゴはどのような形状であってもよい。例えば、独立したアイコン、店の正面入り口に吊り下がる、又はビルの屋根の上に設けられる文字(letter)（レターの内部に生き物の絵又は要素を表す）であってもよい。後者においては、内部に動画を持つ文字及び要素を見物人は見ることになる。
【００１７】
ロゴ（アイコン）部分の輪郭又はエッジに沿ってはっきり見える境界線を形成することは有利である。例えば道路から、窓を通して、及び、プロジェクション装置が備えられている店に入って、ビデオロゴを見る見物人に３次元効果を提供するからである。
【００１８】
可視表面即ちスクリーンの見える側はプロジェクタと反対側である。そのため光と絵は見物人に対して、スクリーンの反対側に投影されている（back projected）。しかし見物人は光パターンと絵をスクリーンの別の側から見ることになる。
【００１９】
好ましくは、画像処理はコンピュータ上で画像編集プログラムにより行われる。キャプチャされた静止画又は動画の編集はビデオ編集プログラムにより行われる。
【００２０】
スクリーン即ち可視表面はプレートにおいて又はプレートにより与えられると説明したが、「分散スクリーン」として機能する全ての種類のオブジェクトを使ってスクリーンにしてもよい。
【００２１】
第２のアスペクトによれば、本発明は広告又はプロモーション装置に係るものであり、メッセージ又はコマーシャルエリアを規定する、１つ又は複数の照明エリアからなる光パターンを投影するための手段及び、前記照明エリアに静止画又は動画を投影するための手段から構成される。
【００２２】
本装置は第１のアスペクトと関連して前記特徴を有するものであってもよいし、前記事項を実施するために使用されてもよい。
【発明を実施するための最良の形態】
【００２３】
図１は、本発明による装置を示す。ビデオプロジェクタ１は光パターン並びに静止画又は動画を投影する。フロストフィルタ（frost filter）２はプレート３の背後に設けられ、投影された光パターン及び動画を得るためにロゴ/スクリーン（viZoo）がカットされる。図２で示すとおり、見物人はロゴ３の文字中の動画５をプロジェクタに対しロゴ３の反対側であるウインドウ４側から見る。
【００２４】
図３は、文字３が材料部材、好ましくはアクリル部材からカットされた装置を示す。同装置は光と画像が投影されるスクリーンを提供する。プロジェクタに面したアクリル部材側はフロストサイド２、即ちフロストフィルムフィルタを有し、プロジェクタ１から投影される光と画像を偏向したり/伝送したりする。このため見物人はプロジェクタ１に関してスクリーンの反対側４から文字の中の動画５を見ることができる。
【００２５】
図４は携帯電話のアイコンのプロジェクションを示す。同プロジェクションにおいて、静止画又は動画は携帯電話のディスプレイが規定するエリアに投影されるものである。スクリーンはプラスチック部材をカットしたものであり、投影された光パターンの形状はスクリーンの形状と同一である。仮にプロジェクタの電源が切れている場合、人は携帯電話の外周を持つフロスト・プラスチックプレートを見ることになる。しかし携帯電話を見ないし、ディスプレイの動画を見ることは無い。
【００２６】
図５はスクリーン（ロゴ）が異なるが、図３で示した実施例と同一である。
【００２７】
図６ないし図９は本発明によるプロジェクションを示すものである。スクリーンはロゴとして形成される。このロゴは、ロゴの文字を決める隣接する位置に配置されるプレートにより決められる。プレートはアクリル材料から形成されており、プロジェクタに面するフロスト側を有し、半透明になるように形成されている。このように分散スクリーンが形成される。
【００２８】
次に、ビデオ材料のコンテンツを編集する方法の実施例を説明する。
【００２９】
最初に、ロゴがデジタルバージョンで与えられる。このバージョンはコンピュータの画像編集プログラムに転送される。ロゴの背景は黒色（ブラックレベル０）でカバーされ、次にロゴはロゴ内部（例えばロゴの文字の内部）の色とパターンがクリーンにされる。ロゴの後のアルファキー(alpha key behind the logo)を使ってこれを行うとよい。グラフィカル輪郭を有することは有益で、これは、最終のプロジェクションにおいて３次元効果を奏する。
【００３０】
ロゴを静止画又は動画で満たす準備が出来る（例えば、その文字内部に、前記ビデオ編集プログラムにおいて実行される）。好ましくは、ロゴはEPS-フォマット（スクリーンを生成又は切り出すのに使われたのと同一のフォーマット）であり、ビデオ材料を編集するためのマスクとして使用される。色つき細線(a thin colored line)がマスクのエッジに沿って引かれる、このようにすれば、暗いビデオ画像においてもロゴを映し出す。ビデオ材料は（静止画又は動画）はロゴの残りのマスクに配置され、ロゴ全体が画像で満たされる。最終ビデオ映画は４：３フォーマットで構成され、ロゴ以外の部分は暗くなる。
【図面の簡単な説明】
【００３１】
【図１】図１は、本発明の装置を示す斜視図であり、プレートの開口によりスクリーンが規定されていることを示す。
【図２】図２は図１の装置でプロジェクションの最終結果を示す図である。
【図３】図３は、本発明の装置を示す図であり、ロゴの文字を形成するプレートによりスクリーンが形成されることを示す。
【図４】図４は、本発明によるプロジェクションを示す。
【図５】図５は、本発明によるプロジェクションを示す。
【図６】図６は、本発明によるプロジェクションを示す。
【図７】図７は、本発明によるプロジェクションを示す。
【図８】図８は、本発明によるプロジェクションを示す。
【図９】図９は、本発明によるプロジェクションを示す。
【図１】
2009518658.tif 000003
【図２】
2009518658.tif 000004
【図３】
2009518658.tif 000005
【図４】
2009518658.tif 000006
【図５】
2009518658.tif 000007
【図６】
2009518658.tif 000008
【図７】
2009518658.tif 000009
【図８】
2009518658.tif 000010
【図９】
2009518658.tif 000011
【手続補正書】
【提出日】平成16年11月29日(2004.11.29)
【手続補正１】
【補正対象書類名】特許請求の範囲
【補正対象項目名】全文
【補正方法】変更
【補正の内容】
【特許請求の範囲】
【請求項１】
広告又はプロモーションのための方法であって、
１つ又は複数の照明されるエリアを有する光パターンをプロジェクタ（１）からスクリーン（２，３）に投影するステップで、前記光パターンはメッセージ又はアナウンスメントエリアを規定するものであるステップと、
プロジェクタ（１）から前記スクリーン上の前記１つ又は複数の照明されるエリアに静止画又は動画（５）を投影するステップとを、
有し、
前記１つ又は複数の照明されるエリアが前記スクリーンの輪郭に対応することを特徴とする広告又はプロモーションのための方法。
【請求項２】
照明エリア及び/又はスクリーンがロゴを規定することを特徴とする請求項１記載の方法。
【請求項３】
前記投影される光パターンがデジタル画像を編集することにより与えられる方法であって、前記画像はマスクを提供するために前記照明エリアを規定するものであり、前記方法が
前記エリアを取り囲む画像部分を暗くするステップと、
前記エリアからカラーをクリーニングするステップと、
画像の前記エリアの輪郭をカラー化された非黒ラインで描くステップとからなる画像処理を有することを特徴とする請求項１又は２記載の方法。
【請求項４】
画像処理がコンピュータ上の画像編集プログラムにおいて実行されることを特徴とする請求項３記載の方法。
【請求項５】
更に、前記非黒ラインで規定される前記エリア内部に前記画像を投影するために、前記マスクを使うことによりキャプチャされた静止画又は動画を編集するステップを含む請求項３記載の方法。
【請求項６】
前記キャプチャされた静止画又は動画の編集がビデオ編集プログラムにおいて実行されることを特徴とする請求項５記載の方法。
【請求項７】
画像編集ステップがアルファキーを使うステップを含むことを特徴とする請求項３ないし６の何れか１項記載の方法。
【請求項８】
前記暗くするステップが、前記エリアを取り囲む部分の上にカラータイプ「黒レベル０」を与えるステップを含む請求項３ないし７のいずれか１項記載の方法。
【請求項９】
異なる静止画及び/又は動画が異なる照明エリアに映写されることを特徴とする請求項１ないし８の何れか１項記載の方法。
【請求項１０】
動画がオブジェクト及び/又は生物を表すことを特徴とする請求項１ないし９のいずれか１項記載の方法。
【請求項１１】
メッセージとアナウンスメントエリアを規定する、１つ又は複数の照明エリアを有する光パターンを投影するための手段（１）と、
前記光パターンが投影されるスクリーン（２、３）と、
前記1つ又は複数の照明エリアに静止画又は動画(５)を投影する手段（１）と、
１つ又は複数の照明エリアが前記スクリーンの輪郭に一致するように前記1つ又は複数の照明エリアを規定するデジタル画像を編集するための手段とを有する広告、プロモーション装置。
【請求項１２】
前記投影手段は１つ又は複数のプロジェクタ及び/又はビデオプロジェクタを有することを特徴とする請求項１１記載の方法。
【請求項１３】
前記スクリーンはプラスチック、木材、アルミニウム、スチール又はアクリル材料から構成されることを特徴とする請求項1１記載の装置。
【請求項１４】
前記スクリーンが半透明であることを特徴とする請求項１１ないし１３のいずれか１項記載の装置。
【請求項１５】
前記アクリル部材が光パターン並びに静止画及び動画が投影されるフロストサイドを有することを特徴とする請求項１３記載の装置。
【請求項１６】
１つ又は複数の照明エリア及び/又はスクリーンがロゴを規定することを特徴とする請求項１１ないし１５のいずれか１項記載の装置。
【請求項１７】
前記１つ又は複数の照明エリアを取り囲む画像部分を暗くし、
前記１つ又は複数のエリア内からカラーをクリーニングし、
画像の前記１つ又は複数のエリアの輪郭をカラー化された非黒ラインで描くことにより、前記デジタル画像を編集するための手段がマスクを提供するように構成されることを特徴する請求項１１ないし１６のいずれか１項記載の装置。
【請求項１８】
更に、前記１つ又は複数のエリアを規定する前記非黒ライン内の内部に静止画または動画を投影するために、前記マスクを使ってキャプチャされた静止画又は動画を編集するための手段を有する請求項１７記載の装置。
【請求項１９】
前記デジタル画像がアルファキーを使って編集されることを特徴とする請求項１７または１８記載の装置。
【請求項２０】
暗くした後の、前記エリアを取り囲む部分の上のカラータイプは「黒レベル０」であることを特徴とする請求項１７ないし１９のいずれか１項記載の装置。
【請求項２１】
前記スクリーンは１つ又は複数の隣接するスクリーンを有することを特徴とする請求項１１ないし２０のいずれか１項記載の装置。
【請求項２２】
請求項１ないし１０のいずれか１項記載の方法を実行するために使用される請求項１１ないし２１のいずれか１項記載の装置。
【手続補正２】
【補正対象書類名】明細書
【補正対象項目名】０００１
【補正方法】変更
【補正の内容】
【０００１】
従来のピクチャ、ムービー又はグラフィクスを投影するシステムを説明する。JP05035191には、画像がウインドウに投影されるときに、照明エリアで半透明に変化する感光性ウインドウが記載されている。US 3,627,926には、動く画像が投影されるスクリーンの前に不透明な（opaque）色のついたシートを置いて色の変化するデザインパターンを生成する装置が記載されている。WO 93/07605、WO 89/11235及びUS 4,739,567には、静止画又は動画を統制するための別の方法が記載されている。
本発明は、広告又はプロモーションのための方法と装置に関する。更に具体的にいえば、本発明は画像を照明エリアへの投影に関し、例えば、ロゴ又はプロモーション画像を規定する（define）ものである。これにより、見る者(viewer)は照明されたロゴ及び投影された画像、好ましくはロゴの内部の動画（ビデオロゴ:video logo）を見ることができる。
【国際調査報告】
2009518658.tif 000012
2009518658.tif 000013
2009518658.tif 000014